(57)【要約】  システムが、無線ネットワーク内の多数のユーザ機器（ＵＥ）のロケーションポイントに関連付けられた地理上の位置を取得し、かつ、複数のＵＥによってロケーションポイントにおいて測定されるか、複数のＵＥに関連付けられたｅＮｏｄｅＢによって測定される無線測定値と関連付けられた発展型ユニバーサル地上無線接続ネットワーク（Ｅ−ＵＴＲＡＮ）無線指紋データを受信する。本システムは、クラスタ境界を形成するためにＥ−ＵＴＲＡＮ無線指紋データ間の類似度に基づいてロケーションポイントをクラスタし、かつ、Ｅ−ＵＴＲＡＮ無線指紋データを利用してＵＥの地理上の位置を将来決定するための、地理上の位置と、クラスタ境界と、Ｅ−ＵＴＲＡＮ無線指紋データとをデータベースに記憶する。本システムは無線ネットワークにおいて第１のＵＥに関連付けられたＥ−ＵＴＲＡＮ無線指紋測定データを受信すると共に、Ｅ−ＵＴＲＡＮ無線指紋測定データに対応する地理上の位置の１つを取り出すためにルックアップ動作を実行してデータベースの中へ入れる。本システムは、第１のＵＥ、緊急コールセンタや警察のコールセンタ、地理情報システム（ＧＩＳ）サーバあるいは前記無線ネットワークの外部にあるノードのうちの少なくとも１つへ上記地理上の位置のうちの１つを送信する。
2011524655.tif 000002
【特許請求の範囲】
【請求項１】
無線ネットワーク内の多数のユーザ機器（ＵＥ）のロケーションポイントに関連付けられた地理上の位置が取得されるようになっている無線ネットワークに関連付けられた測位用ノードにて実行される方法であって、
前記複数のＵＥによって前記ロケーションポイントにおいて測定されるか、若しくは、前記複数のＵＥに関連付けられたｅＮｏｄｅＢによって測定される無線測定値と関連付けられた発展型ユニバーサル地上無線接続ネットワーク（Ｅ−ＵＴＲＡＮ）無線指紋データを受信するステップ（６１０）と、
クラスタ境界を形成するために前記Ｅ−ＵＴＲＡＮ無線指紋データ間の類似度に基づいて前記ロケーションポイントをクラスタするステップ（６２０、６３０）と、
前記Ｅ−ＵＴＲＡＮ無線指紋データを用いてＵＥの地理上の位置を将来決定するための、前記地理上の位置と、クラスタ境界と、前記Ｅ−ＵＴＲＡＮ無線指紋データとをデータベースに記憶するステップ（６３０）と、
を有することを特徴とする方法。
【請求項２】
前記クラスタ境界はポリゴンの形をしていることを特徴とする請求項１に記載の方法。
【請求項３】
前記Ｅ−ＵＴＲＡＮ無線指紋データは、
前記複数のＵＥのそれぞれのＵＥにおいて測定された発展型ユニバーサル地上無線接続（Ｅ−ＵＴＲＡ）基準信号受信電力（ＲＳＲＰ）、
前記複数のＵＥのそれぞれのＵＥにおいて測定されたＥ−ＵＴＲＡキャリア受信信号強度インジケータ（Ｅ−ＵＴＲＡキャリアＲＳＳＩ）、
前記複数のＵＥのそれぞれのＵＥにおいて測定されたＥ−ＵＴＲＡ基準受信信号品質（ＲＳＲＱ）、
前記複数のＵＥのそれぞれのＵＥにおいて測定された広帯域符号分割多元接続（ＷＣＤＭＡ）ＵＴＲＡ周波数分割二重化（ＦＤＤ）共通パイロットチャネル（ＣＰＩＣＨ）信号受信コード電力（ＲＳＣＰ）、
前記複数のＵＥのそれぞれのＵＥにおいて測定されたＷＣＤＭＡ  ＵＴＲＡ  ＦＤＤキャリアＲＳＳＩ、
帯域内の電力密度により除算されたチップ毎の受信エネルギに対応するＷＣＤＭＡ  ＵＴＲＡ  ＦＤＤ  ＣＰＩＣＨ  Ｅｃ／Ｎｏであって、前記複数のＵＥのそれぞれのＵＥにおいて測定されたＷＣＤＭＡ  ＵＴＲＡ  ＦＤＤ  ＣＰＩＣＨ  Ｅｃ／Ｎｏ、
前記複数のＵＥのそれぞれのＵＥにおいて測定された移動通信用グローバルシステム（ＧＳＭ）キャリアＲＳＳＩ、
前記複数のＵＥのそれぞれのＵＥにおいて測定された時分割デュプレックス（ＴＤＤ）モードＵＴＲＡ  ＴＤＤキャリアＲＳＳＩ、
前記複数のＵＥのそれぞれのＵＥにおいて測定されたＵＴＲＡ  ＴＤＤプライマリ共通制御用物理チャネル（Ｐ−ＣＣＰＣＨ）ＲＳＣＰ、
前記複数のＵＥのそれぞれのＵＥにおいて測定されたＣＤＭＡ２０００  １×無線送信技術（１×ＲＴＴ）パイロット強度、
前記複数のＵＥのそれぞれのＵＥにおいて測定されたＣＤＭＡ２０００高速パケットデータ（ＨＲＰＤ）パイロット強度、
前記複数のＵＥのそれぞれのＵＥにおいて測定されたｅＮｏｄｅＢに関連付けられたＥ−ＵＴＲＡダウンリンク基準信号送信（ＤＬ  ＲＳ）電力
のうち１以上の値を含むことを特徴とする請求項１又は２に記載の方法。
【請求項４】
全地球測位システム（ＧＰＳ）装置を用いて、前記ロケーションポイントに関連付けられた前記地理上の位置を取得するステップをさらに有することを特徴とする請求項１又は２に記載の方法。
【請求項５】
前記無線ネットワーク内の第１のＵＥに関連付けられたＥ−ＵＴＲＡＮ無線指紋測定データを受信するステップ（７００）と、
前記Ｅ−ＵＴＲＡＮ無線指紋測定データに対応する地理上の位置の１つを取り出すために、前記データベースをルックアップテーブルするステップ（７１０）と、
前記第１のＵＥ、緊急コールセンタや警察のコールセンタ、地理情報システム（ＧＩＳ）サーバ（１５０）あるいは前記無線ネットワークの外部にあるノードのうちの少なくとも１つへ前記地理上の位置の１つを送信するステップと、
をさらに有することを特徴とする請求項１又は２に記載の方法。
【請求項６】
前記地理上の位置のうちの１つを送信するステップは、前記第１のＵＥ、緊急コールセンタや警察のコールセンタ、地理情報システム（ＧＩＳ）サーバ（１５０）あるいは前記無線ネットワークの外部にあるノードのうちの少なくとも１つへ、Ｘ２すなわちセキュア・ユーザ・プレーン・ロケーション（ＳＵＰＬ）型インタフェースを介して前記地理上の位置の１つを送信するステップを有することを特徴とする請求項１又は２に記載の方法。
【請求項７】
前記データベースをルックアップするステップ（７１０）は、前記第１のＵＥに関連付けられた前記Ｅ−ＵＴＲＡＮ無線指紋測定データを、前記データベースに記憶されたＥ−ＵＴＲＡＮ無線指紋データとマッチさせて、前記地理上の位置のうちの１つを取り出すようにするステップをさらに有することを特徴とする請求項５に記載の方法。
【請求項８】
前記Ｅ−ＵＴＲＡＮ無線指紋測定データは、前記第１のＵＥにおいて測定された測定値に関連付けられたデータを含み、かつ、
前記ＵＥにおいて測定された発展型ユニバーサル地上無線接続（Ｅ−ＵＴＲＡ）基準信号受信電力（ＲＳＲＰ）、
前記ＵＥにおいて測定されたＥ−ＵＴＲＡキャリア受信信号強度インジケータ（Ｅ−ＵＴＲＡキャリアＲＳＳＩ）、
前記ＵＥにおいて測定されたＥ−ＵＴＲＡ基準受信信号品質（ＲＳＲＱ）、
前記ＵＥにおいて測定された広帯域符号分割多元接続（ＷＣＤＭＡ）ユニバーサル地上無線接続（ＵＴＲＡ）周波数分割二重化（ＦＤＤ）共通パイロットチャネル（ＣＰＩＣＨ）信号受信コード電力（ＲＳＣＰ）、
前記ＵＥにおいて測定されたＷＣＤＭＡ  ＵＴＲＡ  ＦＤＤキャリアＲＳＳＩ、
帯域内の電力密度により除算されたチップ毎の受信エネルギに対応するＷＣＤＭＡ  ＵＴＲＡ  ＦＤＤ  ＣＰＩＣＨ  Ｅｃ／Ｎｏであって、前記ＵＥにおいて測定されたＷＣＤＭＡ  ＵＴＲＡ  ＦＤＤ  ＣＰＩＣＨ  Ｅｃ／Ｎｏ、
移動通信用グローバルシステム（ＧＳＭ）キャリアＲＳＳＩ、
前記ＵＥにおいて測定された時分割デュプレックス（ＴＤＤ）モードＵＴＲＡ  ＴＤＤキャリアＲＳＳＩ、
前記ＵＥにおいて測定されたＵＴＲＡ  ＴＤＤプライマリ共通制御用物理チャネル（Ｐ−ＣＣＰＣＨ）ＲＳＣＰ、
前記ＵＥにおいて測定されたＣＤＭＡ２０００  １×無線送信技術（１×ＲＴＴ）パイロット強度、
前記ＵＥにおいて測定されたＣＤＭＡ２０００高速パケットデータ（ＨＲＰＤ）パイロット強度
のうちの少なくとも１つを含むことを特徴とする請求項５に記載の方法。
【請求項９】
前記Ｅ−ＵＴＲＡＮ無線指紋測定データは、前記第１のＵＥに関連付けられたｅＮｏｄｅＢにおいて測定された１以上の測定値に関連付けられたデータをさらに有し、
前記１以上の測定値は、前記ｅＮｏｄｅＢにおいて測定されたＥ−ＵＴＲＡダウンリンク基準信号（ＤＬ  ＲＳ）送信電力を含むことを特徴とする請求項８に記載の方法。
【請求項１０】
ユーザ機器（ＵＥ）（１１０）であって、
前記ＵＥ機器の地理上の位置に関連付けられた発展型ユニバーサル地上無線接続ネットワーク（Ｅ−ＵＴＲＡＮ）無線指紋測定データを取得するために無線測定値を測定するように構成されたトランシーバ（４０５）と、
ここで、前記Ｅ−ＵＴＲＡＮ無線指紋測定データは、
前記ＵＥにおいて測定された発展型ユニバーサル地上無線接続（Ｅ−ＵＴＲＡ）基準信号受信電力（ＲＳＲＰ）、
前記ＵＥにおいて測定されたＥ−ＵＴＲＡキャリア受信信号強度インジケータ（ＲＳＳＩ）、
前記ＵＥにおいて測定されたＥ−ＵＴＲＡ基準受信信号品質（ＲＳＲＱ）、
前記ＵＥにおいて測定された広帯域符号分割多元接続（ＷＣＤＭＡ）ＵＴＲＡ周波数分割二重化（ＦＤＤ）共通パイロットチャネル（ＣＰＩＣＨ）信号受信コード電力（ＲＳＣＰ）、
前記ＵＥにおいて測定されたＷＣＤＭＡ  ＵＴＲＡ  ＦＤＤキャリアＲＳＳＩ、
前記ＵＥにおいて測定された帯域内の電力密度により除算されたチップ毎の受信エネルギに対応するＷＣＤＭＡ  ＵＴＲＡ  ＦＤＤ  ＣＰＩＣＨ  Ｅｃ／Ｎｏ、
前記ＵＥにおいて測定された移動通信用グローバルシステム（ＧＳＭ）キャリアＲＳＳＩ、
前記ＵＥにおいて測定された時分割デュプレックス（ＴＤＤ）モードＵＴＲＡ  ＴＤＤキャリアＲＳＳＩ、
前記ＵＥにおいて測定されたＵＴＲＡ  ＴＤＤプライマリ共通制御用物理チャネル（Ｐ−ＣＣＰＣＨ）ＲＳＣＰ、
前記ＵＥにおいて測定されたＣＤＭＡ２０００  １×無線送信技術（１×ＲＴＴ）パイロット強度、
前記ＵＥにおいて測定されたＣＤＭＡ２０００高速パケットデータ（ＨＲＰＤ）パイロット強度、のうちの少なくとも１つを含む；
前記Ｅ−ＵＴＲＡＮ無線指紋測定データを地理上の位置決定用ノードへ送信させ、前記Ｅ−ＵＴＲＡＮ無線指紋測定データを送信するステップに応動して、現在の地理上の位置を前記地理上の位置決定用ノードから受信するように構成された処理部と、
を備えることを特徴とするユーザ機器（ＵＥ１１０）。
【請求項１１】
無線ネットワークに関連付けられた測位用ノードであって、
データベース（１６０）と、
インタフェース（３２０）と、
ここで、インタフェース（３２０）は、
全地球測位システム（ＧＰＳ）装置を用いて取得された前記無線ネットワーク内の多数のユーザ機器（ＵＥ）のロケーションポイントに関連付けられた地理上の位置を受信し、
前記複数のＵＥの前記ロケーションポイントにおいて測定された無線測定値と関連付けられた、発展型ユニバーサル地上無線接続ネットワーク（Ｅ−ＵＴＲＡＮ）無線指紋データを受信する
処理部（３１０）と、
ここで、処理部（３１０）は、
クラスタ境界を形成するためにＥ−ＵＴＲＡＮ無線指紋データ間の類似度に基づいて前記ロケーションポイントをクラスタし、
ＧＰＳ装置を用いることなく、前記Ｅ−ＵＴＲＡＮ無線指紋データを用いてＵＥの地理上の位置を将来決定するための、前記地理上の位置と、クラスタ境界と、前記Ｅ−ＵＴＲＡＮ無線指紋データとを前記データベースに記憶するための処理部（３１０）と、
を備えることを特徴とする無線ネットワークに関連付けられた測位用ノード。
【請求項１２】
前記クラスタ境界はポリゴンの形をしていることを特徴とする請求項１１に記載のノード。
【請求項１３】
前記Ｅ−ＵＴＲＡＮ無線指紋データは、
それぞれのＵＥにおいて測定された発展型ユニバーサル地上無線接続（Ｅ−ＵＴＲＡ）基準信号受信電力（ＲＳＲＰ）、
それぞれのＵＥにおいて測定されたＥ−ＵＴＲＡキャリア受信信号強度インジケータ（ＲＳＳＩ）、
それぞれのＵＥにおいて測定されたＥ−ＵＴＲＡ基準受信信号品質（ＲＳＲＱ）、
それぞれのＵＥにおいて測定された広帯域符号分割多元接続（ＷＣＤＭＡ）ＵＴＲＡ周波数分割二重化（ＦＤＤ）共通パイロットチャネル（ＣＰＩＣＨ）信号受信コード電力（ＲＳＣＰ）、
それぞれのＵＥにおいて測定されたＷＣＤＭＡ  ＵＴＲＡ  ＦＤＤキャリアＲＳＳＩ、
それぞれのＵＥにおいて測定された帯域内の電力密度により除算されたチップ毎の受信エネルギに対応するＷＣＤＭＡ  ＵＴＲＡ  ＦＤＤ  ＣＰＩＣＨ  Ｅｃ／Ｎｏ、
それぞれのＵＥにおいて測定された移動通信用グローバルシステム（ＧＳＭ）キャリアＲＳＳＩ、
それぞれのＵＥにおいて測定された時分割デュプレックス（ＴＤＤ）モードＵＴＲＡ  ＴＤＤキャリアＲＳＳＩ、
それぞれのＵＥにおいて測定されたＵＴＲＡ  ＴＤＤプライマリ共通制御用物理チャネル（Ｐ−ＣＣＰＣＨ）ＲＳＣＰ、
それぞれのＵＥにおいて測定されたＣＤＭＡ２０００  １×無線送信技術（１×ＲＴＴ）、
それぞれのＵＥにおいて測定されたＣＤＭＡ２０００高速パケットデータ（ＨＲＰＤ）パイロット強度、
それぞれのＵＥに関連付けられたｅＮｏｄｅＢにおいて測定されたＥ−ＵＴＲＡダウンリンク基準信号（ＤＬ  ＲＳ）送信電力
のうちの少なくとも１つの値を含むことを特徴とする請求項１１又は１２に記載のノード。
【請求項１４】
前記インタフェース（３２０）は、前記無線ネットワーク内の第１のＵＥ（１１０）に関連付けられたＥ−ＵＴＲＡＮ無線指紋測定データを受信するようにさらに構成され、
前記処理部（３１０）は、更に、
前記受信されたＥ−ＵＴＲＡＮ無線指紋測定データを前記データベースに記憶された前記Ｅ−ＵＴＲＡＮ無線指紋データのうちの少なくとも１つとマッチさせることによって前記地理上の位置の１つを取り出すため、前記データベースのルックアップ動作を実行し、
前記第１のＵＥ（１１０）、緊急コールセンタや警察のコールセンタ、地理情報システム（ＧＩＳ）サーバ（１５０）あるいは前記無線ネットワークの外部にあるノードのうちの少なくとも１つへ前記地理上の位置の１つを送信する
ことを特徴とする請求項１１又は１２に記載のノード。
【請求項１５】
前記データベースのルックアップ動作を実行するとき、前記処理ユニットは、前記第１のＵＥ（１１０）に関連付けられた前記Ｅ−ＵＴＲＡＮ無線指紋測定データを、前記データベース（１６０）に記憶されたＥ−ＵＴＲＡＮ無線指紋データとマッチさせて、前記地理上の位置のうちの１つを取り出すことを特徴とする請求項１４に記載のノード。
【請求項１６】
前記Ｅ−ＵＴＲＡＮ無線指紋測定データは、前記第１のＵＥにおいて測定された測定値に関連付けられたデータを含み、かつ、
前記ＵＥにおいて測定された発展型ユニバーサル地上無線接続（Ｅ−ＵＴＲＡ）基準信号受信電力（ＲＳＲＰ）、
前記ＵＥにおいて測定されたＥ−ＵＴＲＡキャリア受信信号強度インジケータ（Ｅ−ＵＴＲＡキャリアＲＳＳＩ）、
前記ＵＥにおいて測定されたＥ−ＵＴＲＡ基準受信信号品質（ＲＳＲＱ）、
前記ＵＥにおいて測定された広帯域符号分割多元接続（ＷＣＤＭＡ）ユニバーサル地上無線接続（ＵＴＲＡ）周波数分割二重化（ＦＤＤ）共通パイロットチャネル（ＣＰＩＣＨ）信号受信コード電力（ＲＳＣＰ）、
前記ＵＥにおいて測定されたＷＣＤＭＡ  ＵＴＲＡ  ＦＤＤキャリアＲＳＳＩ、
帯域内の電力密度により除算されたチップ毎の受信エネルギに対応するＷＣＤＭＡ  ＵＴＲＡ  ＦＤＤ  ＣＰＩＣＨ  Ｅｃ／Ｎｏであって、前記ＵＥにおいて測定されたＷＣＤＭＡ  ＵＴＲＡ  ＦＤＤ  ＣＰＩＣＨ  Ｅｃ／Ｎｏ、
前記ＵＥにおいて測定された移動通信用グローバルシステム（ＧＳＭ）キャリアＲＳＳＩ、
前記ＵＥにおいて測定された時分割デュプレックス（ＴＤＤ）モードＵＴＲＡ  ＴＤＤキャリアＲＳＳＩ、
前記ＵＥにおいて測定されたＵＴＲＡ  ＴＤＤプライマリ共通制御用物理チャネル（Ｐ−ＣＣＰＣＨ）ＲＳＣＰ、
前記ＵＥにおいて測定されたＣＤＭＡ２０００  １×無線送信技術（１×ＲＴＴ）パイロット強度、
前記ＵＥにおいて測定されたＣＤＭＡ２０００高速パケットデータ（ＨＲＰＤ）パイロット強度
のうちの少なくとも１つの値を含むことを特徴とする請求項１４に記載のノード。
【請求項１７】
前記Ｅ−ＵＴＲＡＮ無線指紋測定データは、前記第１のＵＥに関連付けられたｅＮｏｄｅＢにおいて測定された１以上の測定値に関連付けられたデータをさらに有し、
前記１以上の測定値は、前記ｅＮｏｄｅＢにおいて測定されたＥ−ＵＴＲＡダウンリンク基準信号（ＤＬ  ＲＳ）送信電力を含むことを特徴とする請求項１６に記載のノード。
【発明の詳細な説明】
【技術分野】
【０００１】
本明細書に記載の実施構成は一般に無線システムにおける地理上の位置決定法に関する。
【背景技術】
【０００２】
局所化ベースのサービスがセルラネットワーク通信事業者にとってますます重要になりつつある。重要性が増大しているこの局所化ベースのサービスのための大きな推進力は北米マーケットにおけるＥ−９１１緊急測位要件である。Ｅ−９１１緊急測位要件は、端末ベースの測位については５０〜１５０ｍの精度を要求し、ネットワークベースの測位については１００〜３００ｍの精度を要求するものである。同様の要求条件が日本にも存在し、この国では２００７年以来ずっとアシステッド全地球測位システム（Ａ−ＧＰＳ）が無線ハンドセットにおいて必須のものとなっている。緊急測位が必須のものとして要求されていない別のマーケットでは、友人の発見、船舶（fleet）管理、ロケーションベースのゲーム、個人用ナビゲーション、及びその他のアプリケーションのためのセルロケーション技術の利用を含むセルロケーション技術の商用アプリケーションがますますポピュラーなものになっている。
【０００３】
ほとんどのセルラ通信システムにおける基本的測位方法は、セルＩＤ（ｃｅｌｌ−ＩＤ）法である。セルＩＤ法は、ＩＤ、すなわちユーザ機器が接続されている相手先セルラネットワークのセルについての地理的記述を報告するものである。セルＩＤ法はセルラカバーエリアが存在するすべての状況において適用可能である。セルＩＤ法は、この方法が非常に短い応答時間を有するという点で主要な利点を有するものである。すなわち、ユーザ機器（ＵＥ）のセルＩＤは通常ＵＥの接続に関連する別の基本情報と共にシステム内に記憶されると共に、迅速かつ容易に取り出されて、ユーザ機器のセルロケーションの決定が可能となる。しかし、ある所定のユーザ機器が接続されている相手先セルのＩＤだけでは、ユーザ機器の所在位置を必要とする多くのアプリケーションにとって精度が不十分となる場合がある。
【発明の概要】
【発明が解決しようとする課題】
【０００４】
本書面に記載の実施形態例は、例えば、全地球測位システム（ＧＰＳ）装置のような組み込み型測位装置を備えていない場合がある（無線電話機などの）ユーザ機器（ＵＥ）に対して地理上の位置を示すことができる測位方法の形で、発展型ユニバーサル地上無線接続ネットワーク（Ｅ−ＵＴＲＡＮ）無線測定値を無線「指紋」（radio "fingerprints"）として利用する、適応性に富む改善されたセル識別（ＡＥＣＩＤ）測位方法を実現するものである。本明細書に記載のように、無線指紋のデータベースは、無線ネットワーク内における複数のロケーションポイントにおける装置の正確な地理上の位置と、ロケーションポイントにおいて測定される関連するＥ−ＵＴＲＡＮ無線指紋測定値とを利用して累積され得るものであり、これらの測定値は地理上の位置決定用ノードへ提供される。正確な地理上の位置は、例えば、（無線電話機のなかのいくつかの中に常駐しているような）或る種の装置に対して組み込むことができるＧＰＳ装置を用いて測定することが可能である。そのため、正確な地理上の位置が装置によって報告される無線ネットワーク内の個々のロケーションポイントに関連して、装置は、Ｅ−ＵＴＲＡＮ無線指紋測定データを追加して取得すると共に、測位用ノードへ指紋測定データの報告を行う。測位用ノードは、組み込まれたＧＰＳ技術を有していないかもしれない別のＵＥの地理上の位置をその後検索するために利用できる無線指紋データベースを作成するために、非常に多くの報告済みの地理上の位置及び該地理上の位置の関連するＥ−ＵＴＲＡＮ無線指紋を総計する。したがって、所定のＵＥにおいて、又は、ＵＥにサービスを提供する発展型ノードＢ（ｅＮｏｄｅＢ）局においてＥ−ＵＴＲＡＮ測定値の測定を行うことが可能であると共に、データベースに記憶されている対応する無線指紋とマッチングを行うために用いることができるＥ−ＵＴＲＡＮ無線指紋としてこれらのＥ−ＵＴＲＡＮ測定値を地理上の位置決定用ノードに提供することが可能となる。マッチング用無線指紋に対応する、データベースに記憶済みの地理上の位置をＵＥの現在の地理上の位置として取り出すことも可能である。この取り出された地理上の位置はＵＥへ、緊急コールセンタや警察のコールセンタへ、又は別のノードへ報告として返信することが可能である。
【課題を解決するための手段】
【０００５】
１つの側面によれば、無線ネットワークに関連付けられた測位用ノードにおいて実現される方法であって、無線ネットワークにおいて複数のＵＥのロケーションポイントに関連付けられた地理上の位置を取得する方法が、複数のＵＥによりロケーションポイントにおいて測定された無線測定値、又は、複数のＵＥに関連付けられたｅＮｏｄｅＢにより測定された無線測定値と関連付けられたＥ−ＵＴＲＡＮ無線指紋データを受信するステップを含んでもよい。本方法は、クラスタ境界を形成するために、Ｅ−ＵＴＲＡＮ無線指紋データ間の類似度に基づいてロケーションポイントをクラスタするステップと、Ｅ−ＵＴＲＡＮ無線指紋データを利用してＵＥの地理上の位置を将来決定するための、地理上の位置と、クラスタ境界と、Ｅ−ＵＴＲＡＮ無線指紋データとをデータベースに記憶するステップをさらに含んでもよい。
【０００６】
別の側面によれば、ＵＥ装置は、ＵＥ装置の地理上の位置に関連付けられたＥ−ＵＴＲＡＮ無線指紋測定データを取得するために無線測定値を測定するように構成されたトランシーバを含んでもよい。その場合、Ｅ−ＵＴＲＡＮ無線指紋測定データは、以下のうちの少なくとも１つを含むものとする：ＵＥにおいて測定された発展型ユニバーサル地上無線接続（Ｅ−ＵＴＲＡ）基準信号受信電力（ＲＳＲＰ）；ＵＥにおいて測定されたＥ−ＵＴＲＡキャリア受信信号強度インジケータ（ＲＳＳＩ）；ＵＥにおいて測定されたＥ−ＵＴＲＡ基準受信信号品質（ＲＳＲＱ）；ＵＥにおいて測定された広帯域符号分割多元接続（ＷＣＤＭＡ）ＵＴＲＡ周波数分割二重化（ＦＤＤ）共通パイロットチャネル（ＣＰＩＣＨ）受信信号コード電力（ＲＳＣＰ）；ＵＥにおいて測定されたＷＣＤＭＡ  ＵＴＲＡ  ＦＤＤキャリアＲＳＳＩ；ＵＥにおいて測定された帯域内の電力密度により除算されたチップ毎の受信エネルギに対応するＷＣＤＭＡ  ＵＴＲＡ  ＦＤＤ  ＣＰＩＣＨ  Ｅｃ／Ｎｏ．；ＵＥにおいて測定された移動通信用グローバルシステム（ＧＳＭ）キャリアＲＳＳＩ；ＵＥにおいて測定された時分割デュプレックス（ＴＤＤ）モードＵＴＲＡ  ＴＤＤキャリアＲＳＳＩ；ＵＥにおいて測定されたＵＴＲＡ  ＴＤＤプライマリ共通制御用物理チャネル（Ｐ−ＣＣＰＣＨ）ＲＳＣＰ；ＵＥにおいて測定されたＣＤＭＡ２０００  １×無線送信技術（１×ＲＴＴ）パイロット強度又はＵＥにおいて測定されたＣＤＭＡ２０００高速パケットデータ（ＨＲＰＤ）パイロット強度。ＵＥ装置は、Ｅ−ＵＴＲＡＮ無線指紋測定データを地理上の位置決定用ノードへ送信させるように構成されると共に、Ｅ−ＵＴＲＡＮ無線指紋測定データの送信に応動して、現在の地理上の位置を地理上の位置決定用ノードから受信するように構成された処理部をさらに含んでもよい。
【０００７】
追加の側面によれば、無線ネットワークに関連付けられたシステムが、データベースと、無線ネットワークにおける複数のＵＥのロケーションポイントに関連付けられた地理上の位置であって、全地球測位システム（ＧＰＳ）装置を用いて取得される地理上の位置を受信するように構成されると共に、複数のＵＥのロケーションポイントにおいて測定される無線測定値と関連付けられたＥ−ＵＴＲＡＮ無線指紋データを受信するように構成されたインタフェースを含むことが可能となる。本システムは、クラスタ境界を形成するためにＥ−ＵＴＲＡＮ無線指紋データ間の類似度に基づいてロケーションポイントをクラスタするための、かつ、ＧＰＳ装置を用いることなく、Ｅ−ＵＴＲＡＮ無線指紋データを利用してＵＥの地理上の位置を将来決定するための、地理上の位置と、クラスタ境界と、Ｅ−ＵＴＲＡＮ無線指紋データとをデータベースに記憶するための処理部をさらに含んでもよい。
【図面の簡単な説明】
【０００８】
【図１】通信システム例を示す図である。
【図２】図１のシステムが公衆地上移動通信ネットワーク（ＰＬＭＮ）を含む実装例を示す図である。
【図３】図２のＰＬＭＮのｅＮｏｄｅＢのコンポーネント例を示す図である。
【図４Ａ】図１のユーザ機器のコンポーネント例を示す図である。
【図４Ｂ】装置がセルラ無線電話機である場合の図１のユーザ機器の実装例を示す図である。
【図５Ａ】無線ネットワークのセル内のユーザ機器からｅＮｏｄｅＢへの、発展型ユニバーサル地上無線接続ネットワーク（Ｅ−ＵＴＲＡＮ）の無線指紋測定データのアップリンク送信を描く線図である。
【図５Ｂ】測位用ノードにおいて無線指紋のルックアップを行った後の図５ＡのｅＮｏｄｅＢからユーザ機器へのユーザ機器の位置のダウンリンク送信を描く線図である。
【図６】複数のユーザ機器から受信したＥ−ＵＴＲＡＮ無線測定値に基づいて無線指紋データベースを構成するための例示の処理を示すフローチャートである。
【図７】ユーザ機器の位置に関連付けられたＥ−ＵＴＲＡＮ無線指紋測定データに基づいてユーザ機器の地理上の位置を決定するための例示の処理を示すフローチャートである。
【図８】ユーザ機器からｅＮｏｄｅＢへの、及び、ｅＮｏｄｅＢから、指紋測定データに基づいてユーザ機器の地理上の位置を決定する測位用ノードへの、Ｅ−ＵＴＲＡＮ無線指紋測定データの送信を描くメッセージ図である。
【図９】測位用ノードにおいて受信されたＥ−ＵＴＲＡＮ無線指紋測定データに基づいて決定されたユーザ機器の地理上の位置の送信であって、測位用ノードからｅＮｏｄｅＢへの、及び、ｅＮｏｄｅＢからユーザ機器への送信を描くメッセージ図である。
【図１０】測位用ノードにおいて受信されたＥ−ＵＴＲＡＮ無線指紋測定データに基づいて決定されたユーザ機器の地理上の位置の送信であって、測位用ノードから地理情報システムサーバへの送信を描くメッセージ図である。
【図１１】ユーザ機器から第１のｅＮｏｄｅＢへの、及び、第１のｅＮｏｄｅＢから第２のｅＮｏｄｅＢへのＥ−ＵＴＲＡＮ無線指紋測定データの送信を描くメッセージ図である。
【図１２】ユーザ機器からｅＮｏｄｅＢへの、及び、ｅＮｏｄｅＢから地理情報システムサーバへのＥ−ＵＴＲＡＮ無線指紋測定データの送信を描くメッセージ図である。
【発明を実施するための形態】
【０００９】
添付図面を参照しながら本発明の以下の詳細な説明を行う。異なる図面における同一の参照番号は同一又は類似の要素を示すものとする。また、以下の詳細な説明は本発明を限定するものではない。
【００１０】
図１は、ユーザ機器（ＵＥ）１１０及び１２０と、測位用ノード１４０及びネットワーク１３５に接続された地理情報システム（ＧＩＳ）サーバとを含むことが可能な例示の通信システム１００を示している。
【００１１】
ＵＥ１１０は、システム１００内のネットワーク１３５を介してＵＥ１２０（又は図示されていない別の装置）と通信を行うことができる。１つの実装例では、ＵＥ１１０は、ＵＥ１１０とＵＥ１２０との間の中間装置として動作する１以上の別の装置を介してＵＥ１２０との通信を行うことができる。例えば、図１に示されているように、無線基地局機能を含むことが可能な発展型ノードＢ（ｅＮｏｄｅＢ）１３０-１は、ＵＥ１１０と１２０間での、又は、ＵＥと測位用ノード１４０又はＧＩＳサーバ１５０との間でのエンドツーエンド通信を容易にする中間ネットワーク１３５のコンポーネントとして常駐することができる。追加のｅＮｏｄｅＢ１３０−２〜１３０−Ｎがネットワーク１３５に常駐してもよい。
【００１２】
ＵＥ１１０と１２０の少なくともいずれかは、セルラ無線電話機、パーソナル・デジタル・アシスタント（ＰＤＡ）、個人通信システム（ＰＣＳ）端末、ラップトップ型コンピュータ、パームトップ型コンピュータ、又は、無線リンクを介して装置が別の装置と行う通信を可能にする通信トランシーバを含む別の任意の種類の装置又は機器を含んでもよい。ＰＣＳ端末は、セルラ無線電話をデータ処理機能、ファクシミリ機能及びデータ通信機能と組み合わせてもよい。ＰＤＡには、無線電話、ページャ、インターネット／イントラネットアクセス装置、ウェブブラウザ、オーガナイザ、カレンダ、全地球測位システム（ＧＰＳ）受信機のうちの少なくともいずれかが含まれていてもよい。１以上のＵＥ１１０及び１２０は「パーベイシブ・コンピューティング」（parvasive computing）装置と称される場合もある。いくつかの実装構成では、ＵＥ１２０は、公衆交換電話網（ＰＳＴＮ）に接続された（従来の普通の電話システム（ＰＯＴ）電話のような）電話を含むものであってもよい。
【００１３】
ｅＮｏｄｅＢ１３０−１〜１３０−Ｎは、それぞれの無線リンクを介してそれぞれのＵＥとインタフェースすることができる（例えば、ｅＮｏｄｅＢ１３０−１はＵＥ１１０とインタフェースすることができる）と共に、数ある機能の中でも特に、媒体アクセス制御（ＭＡＣ）と無線リンク制御（ＲＬＣ）とを実行することができる。
【００１４】
測位用ノード１４０はシステム１００におけるＵＥの所在位置を決定することができる。測位用ノード１４０は、発展型ユニバーサル地上無線接続ネットワーク（Ｅ−ＵＴＲＡＮ）と間無線アクセス技術（inter-Radio Access Technorogy:ＩＲＡＴ）測定データとのうちの少なくともいずれかから得られる無線指紋を記憶する無線指紋データベース１６０に関連付けられてもよい。データベース１６０は測位用ノード１４０の内部又は外部に常駐してもよい。Ｅ−ＵＴＲＡＮとＩＲＡＴの少なくともいずれかの測定データは、Ｅ−ＵＴＲＡＮとＩＲＡＴの少なくともいずれかの測定値が測定された同じ地理上の位置において取得された（ＧＰＳ地理上の位置データなどの）正確な地理上の位置データと共に測位用ノード１４０へ提供され得ると共に、測位用ノード１４０は正確な地理上の位置データを編成して、同じ又は同様の無線指紋を有するクラスタに変えることができる。測位用ノード１４０は、個々のクラスタのクラスタ境界を決定して、クラスタ境界情報と、関連する無線指紋と、正確な地理上の位置データとを無線指紋データベース１６０に記憶することができる。測位用ノード１４０は、次に、ＵＥ１１０又はＵＥ１２０から得られるＥ−ＵＴＲＡＮとＩＲＡＴの少なくともいずれかの無線指紋測定データを受信することができ、次いで、無線指紋データベース１６０をルックアップして、受信済みのＥ−ＵＴＲＡＮとＩＲＡＴの少なくともいずれかの無線指紋測定データにマッチする、データベース１６０に記憶済みの無線指紋を特定すると共に、この無線指紋にマッチするデータベース１６０に記憶済みの正確な地理上の位置を取り出すことができる。測位用ノード１４０は、例えば、緊急コールセンタや警察のコールセンタなどの別の宛先へ無線指紋測定データを送信したＵＥへこの地理上の位置を提供することができる。
【００１５】
ＧＩＳサーバ１５０は、地理マッピングサービス又は関連するマッピングサービスを提供する１以上のサーバエンティティを含んでもよい。ＧＩＳサーバ１５０は、測位用ノード１４０から、あるいは、（ＵＥ１１０又は１２０などの）ＵＥからＵＥの地理上の位置データを受信できると共に、受信済みの地理上の位置データを物理的座標や物理アドレスにマップしたり、地理上の位置データとの別のマッピング関連サービスを実行したりすることができる。
【００１６】
ネットワーク１３５は、ローカルエリアネットワーク（ＬＡＮ）；広域ネットワーク（ＷＡＮ）；大都市エリアネットワーク（ＭＡＮ）；ＰＳＴＮやＰＬＭＮのような電話ネットワーク；衛星ネットワーク；イントラネット、インターネット又は複数ネットワークの組み合わせを含む任意の種類の１以上のネットワークを含んでもよい。ＰＬＭＮは、例えば、汎用パケット無線サービス（ＧＰＲＳ）、セルラデジタルパケットデータ（ＣＤＰＤ）又はモバイルＩＰネットワークのようなパケット交換型サブネットワークをさらに含んでもよい。
【００１７】
図１に例示のコンポーネントの数が全く例示的なものであることは理解できよう。より多くのコンポーネント構成、より少数のコンポーネント構成、あるいは異なるコンポーネント構成を有する別の構成が実現可能である。さらに、いくつかの実施形態では、図１の１以上のコンポーネントは、図１の１以上の別のコンポーネントにより実行されるものとして記述されている１以上のタスクを実行することができる。
【００１８】
図２はシステム１００がＰＬＭＮを含む図１のシステム１００の一例を示す図である。ＰＬＭＮはロングタームエボリューション（ＬＴＥ）システムアーキテクチャを実現することができる。図２に示されているように、ＵＥ１１０及び１２０はＰＬＭＮを介して相互に通信を行うセルラ無線電話機を含んでもよい。ＰＬＭＮは、関連するアンテナ・アレイ及び（図示の１つのゲートウェイ２１０などの）１以上のゲートウェイと共に複数のｅＮｏｄｅＢ１３０−１〜１３０−Ｎを含んでもよい。ゲートウェイ２１０は、測位用ノード１４０及びＧＩＳサーバ１５０との接続が可能なシステム１００のパケットデータネットワーク（ＰＤＮ）２２０とさらに接続することができる。ＰＤＮ２２０は、例えばインターネットのような任意の種類のパケット交換ネットワークを含んでもよい。
【００１９】
ｅＮｏｄｅＢ１３０−１〜１３０−ＮはそれぞれのＵＥとインタフェースすることができる（例えばｅＮｏｄｅＢ１３０−１はそれぞれの無線リンクを介してＵＥ１１０とインタフェースすることができる）と共に、数ある機能の中でも特に、媒体アクセス制御（ＭＡＣ）と無線リンク制御（ＲＬＣ）とを実行することができる。例えば、ｅＮｏｄｅＢ１３０−１はＵＥ１１０からデータ送信を受信してもよく、かつ、ＧＷ２１０上へ当該データ送信を転送することができる。ＧＷ２１０は、それぞれのｅＮｏｄｅＢから別のｅＮｏｄｅＢへ、あるいは、測位用ノード１４０又はＧＩＳサーバ１５０へＰＤＮ２２０を介して受信済みデータ送信のルート指定を行うことができる。ＧＷ２１０は、測位用ノード１４０又はＧＩＳサーバ１５０から、宛先であるＵＥに関連付けられたそれぞれのｅＮｏｄｅＢ１３０−１〜１３０−ＮへＰＤＮ２２０を介して受信済みデータ送信信号のルート指定をさらに行うことができる。ＰＤＮ２２０によってＰＬＭＮに接続されたものとして測位用ノード１４０が図２に示されてはいるが、別の実装構成では、測位用ノード１４０はＰＬＭＮのコンポーネントとして常駐してもよい（例えばメッセージ交換はＰＤＮ２２０の中を通過する必要なくＰＬＭＮと内部で接続される）。
【００２０】
図３は１つのｅＮｏｄｅＢ１３０−１の実装例を示し、ｅＮｏｄｅＢ１３０−２〜１３０−Ｎは同様に構成されたものであってもよい。測位用ノード１４０及びＧＩＳサーバ１５０もまた同じ様に構成されてもよい（但し、測位用ノード１４０及びＧＩＳサーバ１５０はトランシーバ３０５を含まなくてもよい）。ｅＮｏｄｅＢ１３０−１は、トランシーバ３０５、処理部３１０、メモリ３１５、インタフェース３２０、バス３２５を含むことができる。
【００２１】
トランシーバ３０５は、１以上のアンテナを介して、無線周波数信号を用いてシンボルシーケンスの送信と受信の少なくともいずれかを行うトランシーバ回路を含んでもよい。上記１以上のアンテナは、単一のアンテナ又はアンテナ・アレイを含んでもよく、かつ、指向性アンテナと全方向アンテナの少なくともいずれかを含んでもよい。トランシーバ３０５は、例えば、ｅＮｏｄｅＢ１３０−１における発展型ユニバーサル地上無線接続（Ｅ−ＵＴＲＡ）ダウンリンク基準信号送信（ＤＬ  ＲＳ）電力のような、１以上の種々の異なる発展型ユニバーサル地上無線接続ネットワーク（Ｅ−ＵＴＲＡＮ）無線指紋測定値の測定が可能な測定回路をさらに含んでもよい。
【００２２】
処理部３１０は、命令の解釈と、命令の実行とが可能なプロセッサ、マイクロプロセッサ又は処理ロジックを含んでもよい。処理部３１０はｅＮｏｄｅＢ１３０−１のためのあらゆるデータ処理機能を実行することができる。メモリ３１５は、装置処理機能を実行する場合に処理部３１０が利用するための、永久的、半永久的、又は一時的に稼働中の、データ及び命令の記憶部を提供することができる。メモリ３１５は、リードオンリメモリ（ＲＯＭ）、ランダムアクセスメモリ（ＲＡＭ）、磁気記録媒体と光記録媒体の少なくともいずれかのような大容量記憶装置、メモリ装置の対応する駆動装置及び別の種類のメモリ装置のうちの少なくともいずれかの装置を含んでもよい。インタフェース３２０はＧＷ２１０と接続するリンクとのインタフェース用回路を含んでもよい。バス３２５は、コンポーネントによる相互通信を可能にする装置１３０−１の種々のコンポーネントを相互に接続することができる。
【００２３】
図３に示す装置１３０−１のコンポーネントの構成は専ら例示を目的とするものである。より多くのコンポーネント構成、より少数のコンポーネント構成、あるいは、異なるコンポーネント構成を有する別の構成が実現可能である。
【００２４】
図４Ａは、実施形態例に従うＵＥ１１０を示す。ＵＥ装置１２０は同様に構成されたものであってもよい。ＵＥ１１０は、トランシーバ４０５、処理部４１０、メモリ４１５、入力装置４２０、出力装置４２５、及びバス４３０を含んでもよい。
【００２５】
トランシーバ４０５は１以上のアンテナを介して、無線周波数信号を用いてシンボルシーケンスの送信と受信の少なくともいずれかを行うためのトランシーバ回路を含んでもよい。トランシーバ４０５は、例えばＲＡＫＥ受信機又はＧＲＡＫＥ受信機を含んでもよい。トランシーバ４０５は、１以上の種々の異なるＥ−ＵＴＲＡＮ無線指紋測定値を測定する測定回路をさらに含むことができる。これらの無線指紋測定値には、１以上の以下の測定値、すなわちＥ−ＵＴＲＡ基準信号受信電力（ＲＳＲＰ）；Ｅ−ＵＴＲＡキャリア受信信号強度インジケータ（Ｅ−ＵＴＲＡキャリアＲＳＳＩ）；Ｅ−ＵＴＲＡ基準受信信号品質（ＲＳＲＱ）；広帯域符号分割多元接続（ＷＣＤＭＡ）ＵＴＲＡ周波数分割二重化（ＦＤＤ）共通パイロットチャネル（ＣＰＩＣＨ）信号受信コード電力（ＲＳＣＰ）；ＷＣＤＭＡ  ＵＴＲＡ  ＦＤＤキャリアＲＳＳＩ；（帯域内の電力密度により除算されたチップ毎の受信エネルギに対応する）ＷＣＤＭＡ  ＵＴＲＡ  ＦＤＤ  ＣＰＩＣＨ  Ｅｃ／Ｎｏ；移動通信用グローバルシステム（ＧＳＭ）キャリアＲＳＳＩ；時分割デュプレックス（ＴＤＤ）モードＵＴＲＡ  ＴＤＤキャリアＲＳＳＩ；ＵＴＲＡ  ＴＤＤプライマリ共通制御用物理チャネル（Ｐ−ＣＣＰＣＨ）ＲＳＣＰ；ＣＤＭＡ２０００  １×無線送信技術（１×ＲＴＴ）パイロット強度；あるいは、ＵＥにおいて測定されたＣＤＭＡ２０００高速パケットデータ（ＨＲＰＤ）パイロット強度の少なくともいずれかが含まれる（但しこれらのみに限定されるわけではない）。
【００２６】
処理部４１０は、命令の解釈と、命令の実行とが可能なプロセッサ、マイクロプロセッサ又は処理ロジックを含んでもよい。処理部４１０は、データバッファリングと、呼処理制御と、ユーザインタフェース制御等のような装置制御機能とを含むデータの入力、出力及び処理を行うためのすべてのデータ処理機能を実行することができる。
【００２７】
メモリ４１５は、装置の処理機能において処理部４１０が利用するための、永久的、半永久的又は一時的に稼働中のデータ記憶部及び命令記憶部を提供することができる。メモリ４１５は、ＲＯＭ、ＲＡＭ、磁気記録媒体、光記録媒体の少なくともいずれかのような大容量記憶装置、その対応する駆動装置及び別の種類のメモリ装置のうちの少なくともいずれかを含んでもよい。入力装置４２０はＵＥ１１０内へのデータエントリ用メカニズムを含んでもよい。例えば、入力装置４２０はキーパッド（図示せず）、マイク（図示せず）又は表示装置（図示せず）を含んでもよい。キーパッドはデータの手動によるＵＥ１１０内へのユーザ入力を可能にすることができる。マイクは、聴覚入力を電気信号に変換するメカニズムを含んでもよい。表示装置は、装置の機能を選択するためにユーザによる利用が可能な（グラフィックユーザインタフェースなどの）ユーザインタフェースを提供できる画面表示部を含んでもよい。表示装置の画面表示部は、例えば、液晶ディスプレイ（ＬＣＤ）、プラズマ画面ディスプレイ、発光ダイオード（ＬＥＤ）ディスプレイ、ブラウン管（ＣＲＴ）ディスプレイ、有機発光ダイオード（ＯＬＥＤ）ディスプレイなどの任意の種類の視覚表示部を含んでもよい。
【００２８】
出力装置４２５は、オーディオ、ビデオ、ハードコピーフォーマットのうちの少なくともいずれかの形でデータを出力するメカニズムを含んでもよい。例えば、出力装置４２５は、電気信号を聴覚出力に変換するメカニズムを含むスピーカ（図示せず）を含んでもよい。出力装置４２５は出力データをユーザに表示する表示装置をさらに含んでもよい。例えば、表示装置は出力データをユーザに表示するグラフィックユーザインタフェースを提供することができる。バス４３０は、ＵＥ１１０の種々のコンポーネントを相互に接続して、コンポーネントによる相互通信を可能にすることができる。
【００２９】
図４Ａに示すＵＥ１１０のコンポーネント構成は専ら例示を目的とするものである。より多くのコンポーネント構成、より少数のコンポーネント構成、又は異なるコンポーネント構成を有する別の構成の実現が可能である。例えば、いくつかの実装構成では、ＵＥ１１０はＧＰＳ測位装置を含んでもよい。
【００３０】
図４ＢはＵＥ１１０がセルラ無線電話機を含むＵＥ１１０の実装例を示す図である。図４Ｂに示されているように、セルラ無線電話機は、オーディオ情報を無線電話機の中へ入力するためのマイク４３５（入力装置４２０）と、無線電話機からオーディオ出力を提供するスピーカ４４０（出力装置４２５）と、キーパッド４４５（手動によるデータ入力又は電話機能を選択するための入力装置４２０）と、ユーザに対するデータの視覚的表示と、（キーパッド４４５と連携して行われる）データ入力又は電話機能を選択するためにユーザが利用できるユーザインタフェースの提供との少なくともいずれかを行うことができる（例えば入力装置４２０又は出力装置４２５の）ディスプレイ４５０とを含んでもよい。
【００３１】
図５Ａは、無線ネットワークのセル５１０におけるＵＥ１１０からｅＮｏｄｅＢ１３０−１へのＥ−ＵＴＲＡＮ無線指紋測定データのアップリンク送信を描く線図である。ＵＥ１１０は、セル５１０内の或る一定のロケーションポイントにおいて、１以上のＥ−ＵＴＲＡと間ＲＡＴ（inter-RAT:ＩＲＡＴ）とのうちの少なくともいずれかの測定値を測定することが可能であり、Ｅ−ＵＴＲＡＮ無線指紋測定データ５２０として測定値の結果をｅＮｏｄｅＢ１３０−１へ送信することが可能である。Ｅ−ＵＴＲＡＮ無線指紋測定データ５２０は以下の１以上の値を含んでもよい：
１）ＵＥにおいて測定されたＥ−ＵＴＲＡ基準信号受信電力（ＲＳＲＰ）、
２）ＵＥにおいて測定されたＥ−ＵＴＲＡキャリアＲＳＳＩ、
３）ＵＥにおいて測定されたＥ−ＵＴＲＡ  ＲＳＲＱ、
４）ＵＥにおいて測定されたＷＣＤＭＡ  ＵＴＲＡ  ＦＤＤ  ＣＰＩＣＨ  ＲＳＣＰ、
５）ＵＥにおいて測定されたＷＣＤＭＡ  ＵＴＲＡ  ＦＤＤキャリアＲＳＳＩ、
６）帯域内の電力密度により除算されたチップ毎の受信エネルギに対応するＷＣＤＭＡ  ＵＴＲＡ  ＦＤＤ  ＣＰＩＣＨ  Ｅｃ／Ｎｏ、
７）ＵＥにおいて測定されたＧＳＭキャリアＲＳＳＩ、
８）ＵＥにおいて測定されたＴＤＤモードＵＴＲＡ  ＴＤＤキャリアＲＳＳＩ、
９）ＵＥにおいて測定されたＵＴＲＡ  ＴＤＤ  Ｐ−ＣＣＰＣＨ  ＲＳＣＰ、
１０）ＵＥにおいて測定されたＣＤＭＡ２０００  １×ＲＴＴパイロット強度、
１１）ＵＥにおいて測定されたＨＲＰＤパイロット強度ＣＤＭＡ２０００。
【００３２】
別の実施形態では、Ｅ−ＵＴＲＡＮ無線指紋測定データ５２０は追加の又は代替の測定値を含んでもよい。ｅＮｏｄｅＢ１３０−１によるＥ−ＵＴＲＡＮ無線指紋測定データ５２０の受信時に、ｅＮｏｄｅＢ１３０−１は、無線指紋測定データ５２０に基づいて地理上の位置を決定するために（ＧＷ２１０とＰＤＮ２２０とを介して）測位用ノード１４０（図示せず）上へデータ５２０を転送することができる。
【００３３】
図５Ｂは、測位用ノード１４０（図示せず）における無線指紋のルックアップの実行後の、セル５１０内におけるｅＮｏｄｅＢ１３０−１からＵＥ１１０への、ＵＥ１１０の地理上の位置５３０のダウンリンク送信を描く線図である。ｅＮｏｄｅＢ１３０−１は、ＰＤＮ２２０とＧＷ２１０を介して測位用ノード１４０から地理上の位置５３０を受信することができ、次いで、ダウンリンクで地理上の位置５３０をＵＥ１１０へ送信することができる。地理上の位置５３０は、図５Ａの測定データ５２０に基づいて測位用ノード１４０が取得したＵＥ１１０の正確な位置を含むことができる。地理上の位置５３０は、例えば緯度／経度座標、ＧＰＳ座標、物理アドレスなどを含んでもよい。
【００３４】
図６は複数のユーザ機器から受信したＥ−ＵＴＲＡＮ無線測定値に基づいて（データベース１６０などの）無線指紋データベースを構成するための例示の処理を示すフローチャートである。図６の例示の処理を用いて構成された無線指紋データベースは、次に、ＵＥの各々において測定され、かつ、無線指紋測定データとして測位用ノード１４０へ送信されるＥ−ＵＴＲＡＮとＩＲＡＴの少なくともいずれかの測定値に基づいてＵＥの地理上の位置を特定するために利用することができる。１つの実装例では図６の例示の処理は測位用ノード１４０により実現可能である。別の実装構成では、図６を参照して説明した処理のうちのいくらかの処理又は全ての処理は、測位用ノード１４０を含むか、除外する１以上の別の装置によって実行することも可能である。
【００３５】
上記例示の処理を開始するために、複数のＵＥ又は別の測位装置に関連付けられた地理上の位置測定値を取得することができる（ブロック６００）。ＰＬＭＮの１以上のセルに位置する複数のＵＥ又は別の地理上の測位装置は、正確な地理上の位置測定方法を用いて自分の地理上の位置を取得することができる。正確な地理上の位置を取得するための任意の種類の位置測定方法を利用してもよい。例えば、アシステッドＧＰＳ（Ａ-ＧＰＳ）測位方法を利用して、複数のＵＥの地理上の位置の取得が可能である。ＵＥ又はその他の測位装置の各々は地理上の位置を測定するＧＰＳ受信機を含んでもよく、かつ、ＰＬＭＮに接続されたＧＰＳ基準受信機は、ＵＥ又はその他の測位装置内のＧＰＳ受信機への送信が行われる際に、ＵＥ内の又はその他の測位装置内のＧＰＳ受信機のパフォーマンスを高める補助データを収集する。通常、Ａ−ＧＰＳは、差動ＧＰＳ動作を行うことなく＋／−１０メートルの精度を有することが可能である。地理上の位置測定値は、（ＰＤＮ２２０を含むか、ＰＤＮ２２０を除外するかの）ネットワーク１３５を介する送信によるか、（位置測定値を測位用ノード１４０へ転送するために読み出しが可能なＣＤ−ＲＯＭなどの）メモリ装置からの転送によるかのいずれかによって測位用ノード１４０へ提供されてもよい。
【００３６】
Ｅ−ＵＴＲＡＮ無線測定値を受信して、測定済みの複数のＵＥ（ブロック６１０の地理上の位置）に関連付けられた取得済みの無線指紋を提供するようにしてもよい。Ｅ−ＵＴＲＡＮ無線測定値はブロック６００の測定済みの地理上の位置と同時に測定されてもよい。Ｅ−ＵＴＲＡＮ測定値は１以上の以下の測定値を含んでもよい：
１）それぞれのＵＥにおいて測定された発展型ユニバーサル地上無線接続（Ｅ−ＵＴＲＡ）基準信号受信電力（ＲＳＲＰ）、
２）それぞれのＵＥにおいて測定されたＥ−ＵＴＲＡキャリア受信信号強度インジケータ（Ｅ−ＵＴＲＡキャリアＲＳＳＩ）、
３）それぞれのＵＥにおいて測定されたＥ−ＵＴＲＡ基準受信信号品質（ＲＳＲＱ）、
４）それぞれのＵＥにおいて測定された広帯域符号分割多元接続（ＷＣＤＭＡ）ＵＴＲＡ周波数分割二重化（ＦＤＤ）共通パイロットチャネル（ＣＰＩＣＨ）信号受信コード電力（ＲＳＣＰ）、
５）それぞれのＵＥにおいて測定されたＷＣＤＭＡ  ＵＴＲＡ  ＦＤＤキャリアＲＳＳＩ、
６）それぞれのＵＥにおいて測定された帯域内の電力密度により除算されたチップ毎の受信エネルギに対応するＷＣＤＭＡ  ＵＴＲＡ  ＦＤＤ  ＣＰＩＣＨ  Ｅｃ／Ｎｏと、
７）それぞれのＵＥにおいて測定された移動通信用グローバルシステム（ＧＳＭ）キャリアＲＳＳＩ、
８）それぞれのＵＥにおいて測定された時分割デュプレックス（ＴＤＤ）モードＵＴＲＡ  ＴＤＤキャリアＲＳＳＩ、
９）それぞれのＵＥにおいて測定されたＵＴＲＡ  ＴＤＤプライマリ共通制御用物理チャネル（Ｐ−ＣＣＰＣＨ）ＲＳＣＰ、
１０）それぞれのＵＥにおいて測定されたＣＤＭＡ２０００  １×無線送信技術（１×ＲＴＴ）パイロット強度、
１１）それぞれのＵＥにおいて測定されたＣＤＭＡ２０００高速パケットデータ（ＨＲＰＤ）パイロット強度。
【００３７】
別の種類の測定値を追加又は代替として用いてもよい。Ｅ−ＵＴＲＡＮ測定値は、個々の正確な地理上の位置測定値との関連付けが可能な無線「指紋」を提供する。
【００３８】
これらの取得済みの地理上の位置測定値を編成して、同一の又は同様の無線指紋を有するクラスタに変えることができる（ブロック６２０）。非常に多くの地理上の位置測定値が取得されるので、これらの位置測定値は、該位置測定値のそれぞれの無線指紋に基づいてクラスタに編成されてもよい。地理上の位置測定値は、同一の又は同様の無線指紋を有する別の地理上の位置測定値と共にクラスタされてもよい。クラスタの各々の境界が決定され、かつ、無線指紋データベース１６０に記憶されてもよい（ブロック６３０）。クラスタの各々の無線指紋と地理上の位置との分析は、例えば多角形（ポリゴン）の形状に対応できるクラスタ境界の決定を許可することができる。図７を参照して以下に説明するように、ブロック６００において取得された地理上の位置測定値、ブロック６１０において受信された無線指紋、ブロック６２０及び６３０において決定されたクラスタは、将来の地理上の位置決定のために無線指紋データベース１６０に記憶されることができる。
【００３９】
図７はＵＥの位置に関連付けられたＥ−ＵＴＲＡＮ無線指紋測定に基づいてＵＥの地理上の位置を決定するための例示の処理を示すフローチャートである。１つの実装例では、図７の例示の処理は測位用ノード１４０により実現可能である。別の実装構成では、図７を参照して説明した処理のうちのいくらかの処理又は全ての処理は、測位用ノード１４０を含むか、除外する１以上の別の装置によって実行することも可能である。
【００４０】
例示の処理を開始するために、ＵＥの位置に関連付けられたＥ−ＵＴＲＡＮ無線指紋測定値を取得することができる（ブロック７００）。例えば、（この例示の処理のためのＧＰＳ機能を備えていないＵＥに対応する）ＵＥ１１０は、Ｅ−ＵＴＲＡ測定値を測定することができると共に、測位用ノード１４０へ測定データを送信することができる。Ｅ−ＵＴＲＡ測定値は、図６のブロック６１０に関して上述した１以上の種類の測定値を含んでもよい。ＵＥ１１０にサービスを提供するｅＮｏｄｅＢによって追加の無線指紋測定値を取得することができると共に、この無線指紋測定値を測位用ノード１４０へ提供することができる。例えば、ｅＮｏｄｅＢ１３０−１はＥ−ＵＴＲＡダウンリンク基準信号送信（ＤＬ  ＲＳ）電力を測定することができ、ｅＮｏｄｅＢ１３０−１は、例えばダウンリンク（ＤＬ）経路損、ＣＱＩ統計などを含む追加の無線指紋測定値を取得することができる。ｅＮｏｄｅＢ１３０−１は発信用メッセージに含まれる固有の識別子をさらに取得することができる。図８は、ＵＥ１１０からｅＮｏｄｅＢ１３０−１への、及び、ｅＮｏｄｅＢ１３０−１から、指紋測定データに基づいてＵＥ１１０の地理上の位置を決定するための測位用ノード１４０へのＥ−ＵＴＲＡＮ無線指紋測定データの送信を描くメッセージ図である。図８に示されているように、ＵＥ１１０は、（ブロック６１０に関して上述した１以上の種類の測定値などの）１以上の無線指紋測定値を測定すると共に、Ｅ−ＵＴＲＡＮ無線指紋測定データ８００として上記測定値をｅＮｏｄｅＢ１３０−１へ送信する。ｅＮｏｄｅＢ１３０−１は１以上の追加の無線指紋測定値（例えばＥ−ＵＴＲＡ  ＲＳ  ＤＬ電力など）を測定することが可能であり、ＵＥ１１０から受信した測定データ８００に上記測定値を加えることが可能であり、次いで、ＵＥ１１０とｅＮｏｄｅＢ１３０−１の双方において測定された無線指紋測定値を含むＥ−ＵＴＲＡＮ無線指紋測定データ８１０を測位用ノード１４０へ送信することができる。
【００４１】
図７に戻ると、取得済みの無線指紋測定値を用いて、無線指紋データベース１６０へのルックアップを実行し、ＵＥの地理上の位置を決定することが可能である。無線指紋データベース１６０への上記ルックアップは、ブロック７００において取得された無線指紋測定値と、データベース１６０に記憶されている事前に記憶済みの無線指紋測定値とのマッチングを含んでもよい。マッチング用無線指紋測定値に対応する、データベース１６０に記憶済みの地理上の位置データをＵＥの地理上の位置として取り出すことが可能である。測位用ノード１４０はこの取り出された地理上の位置をＥ−ＵＴＲＡＮ無線指紋データの受信元であったＵＥへ、又は、ＰＬＭＮの外部にある別のノード（ＧＩＳサーバ１５０、緊急コールセンタや警察のコールセンタなど）へ送信してもよい（ブロック７２０）。図９は、測位用ノード１４０からｅＮｏｄｅＢ１３０−１へ、及び、ｅＮｏｄｅＢ１３０−１からＵＥ１１０への、測位用ノード１４０において受信されたＥ−ＵＴＲＡＮ無線指紋測定データに基づいて決定されたＵＥ１１０の地理上の位置の送信を描くメッセージ図である。
【００４２】
図９に示されているように、測位用ノード１４０は無線指紋のルックアップ９００を実行して、ＵＥの地理上の位置を取得することができ、次いで、この決定済みの地理上の位置を含むメッセージ９１０をｅＮｏｄｅＢ１３０−１へ送信することができる。ｅＮｏｄｅＢ１３０−１はメッセージ９１０を受信し、次いで、ＵＥ１１０上へメッセージ９１０を転送することができる。図９には示されていないが、１以上の特定のＵＥに関連付けられた地理上の位置を要求するために、別のエンティティがロケーション要求を測位用ノード１４０へ送信する場合があり、この場合測位用ノード１４０は、最後に報告された１以上の特定のＵＥの位置に対応する地理上の位置を返信することができる。
【００４３】
図１０は、測位用ノード１４０からＧＩＳサーバ１５０への、測位用ノード１４０において受信されたＥ−ＵＴＲＡＮ無線指紋測定データに基づいて決定されたＵＥの地理上の位置の送信を描くメッセージ図である。図１０に示されているように、測位用ノード１４０は無線指紋のルックアップ１０００を実行して、ＵＥの地理上の位置を取得することができ、次いで、この決定済みの地理上の位置を含むメッセージ１０１０をＧＩＳサーバ１５０へ送信することができる。ＧＩＳサーバ１５０は、物理座標又は物理アドレスに対して地理上の位置をマップしたり、地理上の位置と関連サービスとのマッピングを行ったりすることができる。
【００４４】
図１１と図１２はＥ−ＵＴＲＡＮ無線指紋メッセージ交換の追加例を描く図である。図１１の例では、ＵＥ１１０から、ＵＥ１１０にサービスを提供しているｅＮｏｄｅＢ１３０−１へ、次いで、ＰＬＭＮ内の別のセルにサービスを提供している別のｅＮｏｄｅＢ１３０−２上へＥ−ＵＴＲＡＮ無線指紋測定データを送信することができる。ｅＮｏｄｅＢ１３０−１は例えばＸ２インタフェースを介してｅＮｏｄｅＢ１３０−２へ無線指紋測定データのシグナリングを行うことができる。図１１の例に示されているように、ＵＥ１１０においてＥ−ＵＴＲＡＮ無線指紋測定値の測定を行うことができ、この測定データをＥ−ＵＴＲＡＮ無線指紋測定データメッセージ１１００の中へ＿組み入れることができる。メッセージ１１００は、ＵＥ１１０から、現在ＵＥ１１０にサービスを提供しているｅＮｏｄｅＢ１３０−１へ送信することができる。ｅＮｏｄｅＢ１３０−１は、１以上の追加の無線指紋測定値（例えばＥ−ＵＴＲＡ  ＲＳ  ＤＬ電力など）を測定することができ、ＵＥ１１０から受信した測定データ１１００に上記測定値を加えることができ、次いで、ｅＮｏｄｅＢ１３０−２上へＥ−ＵＴＲＡＮ無線指紋測定データメッセージ１１１０を送信することができる。
【００４５】
図１２の例では、Ｅ−ＵＴＲＡＮ無線指紋測定データをＵＥ１１０からＧＩＳサーバ１５０へ送信することができる。ＵＥ１１０は、セキュア・ユーザ・プレーン・ロケーション（ＳＵＰＬ）型インタフェースを介してＧＩＳサーバ１５０へ無線指紋測定データのシグナリングを行うことができる。図１２の例に示されているように、Ｅ−ＵＴＲＡＮ無線指紋測定値はＵＥ１１０において測定することができ、次いで、この測定データをＥ−ＵＴＲＡＮ無線指紋測定データメッセージ１２００の中へ組み入れることができる。メッセージ１２００はＵＥ１１０から、現在ＵＥ１１０にサービスを提供しているｅＮｏｄｅＢ１３０−１へ送信されてもよい。ｅＮｏｄｅＢ１３０−１は、１以上の追加の無線指紋測定値（例えば、Ｅ−ＵＴＲＡ  ＲＳ  ＤＬ電力など）を測定することができ、ＵＥ１１０から受信した測定データ１２００に上記測定値を加えることができ、次いで、ＧＩＳサーバ１５０上へＥ−ＵＴＲＡＮ無線指紋測定データメッセージ１２１０を送信することができる。ＧＩＳサーバ１５０は、無線指紋測定データを用いて、正確な地理上の位置によりタグ付けされたセルＩＤ／ネットワークＩＤのマッピングを構成するようにしてもよい。
【００４６】
［結論］
以上の実施形態の説明は、例示とその説明にすぎず、余すところなく述べることを意図したものでも、開示された詳細な形態に本発明を限定することを意図したものでもない。以上の教示に照らして変更及び変形が可能であり、また、本発明の実施から変更及び変形例を得ることができる。例えば、図６及び図７を参照しながら一連のブロックについて説明したが、本発明の原理に従って別の実装構成においてこれらブロックの順序を変更することも可能である。さらに、非依存型ブロックを並行して実行することも可能である。
【００４７】
本発明の側面は、方法とコンピュータプログラム製品とのうちの少なくともいずれかにおいてさらに実現されてもよい。したがって、本発明は、ハードウェアとソフトウェア（ファームウェア、常駐ソフトウェア、マイクロコードなどを含む）の少なくともいずれかにおいて実現されてもよい。さらに、本発明は、命令実行システムにより又は命令実行システムと関連して使用できるよう、コンピュータ使用可能媒体又はコンピュータ可読媒体において実現されるコンピュータ使用可能プログラムコード又はコンピュータ可読プログラムコードを有するそのような媒体におけるコンピュータプログラム製品の形態をとってもよい。本書面に記載の実施形態を実現するために使用される実際のソフトウェアコード又は特殊化制御ハードウェアは、本発明を限定するものではない。したがって、上記側面の動作及び作用について、特定のソフトウェアコードを参照せずに説明した。本明細書の説明に基づいてそれらの面を実現するために、当業者がソフトウェアを設計し、かつ、ハードウェアを制御することが可能であろうことは理解されよう。
【００４８】
さらに、本発明のある特定の部分は、１つ以上の機能を実行する「論理」として実現されてもよい。この論理は、特定用途向け集積回路（ＡＳＩＣ）又はフィールドプログラマブルゲートアレイ（ＦＰＧＡ）などのハードウェア、ハードウェアとソフトウェアとの組み合わせを含んでいてもよい。
【００４９】
たとえ特徴の特定の組み合わせが請求項に記載されているか、明細書に開示されているかの少なくともいずれかの場合であっても、これらの組み合わせは本発明の限定を意図するものではない。実際には、これらの特徴の多くは、具体的な請求項への記載又は明細書への開示の少なくともいずれも行われていない方法で組み合わせることができる。
【００５０】
また、「備える（"comprising"又は"comprise"）」との語が本明細書で使用される場合、記述された要素、数値、工程、構成要素、或いは、それらのグループを指定する語として解釈される一方で、記述していない１以上の要素、数値、工程、構成要素、或いは、それらのグループの存在や追加が排除されるものではない点は、強調されるべきである。
【００５１】
本出願において使用される要素、動作又は命令は、明示して指示のない限り、いずれも本発明に重要又は不可欠であるものと解釈されるべきではない。また、本明細書中で使用される場合の単数形は複数の項目を含むことを意図したものである。ただ１つの項目が意図される場合、「１つの」又はそれに類似する言葉が使用される。さらに、「に基づいて」という語句は、明示して指示のない限り、「少なくとも部分的に基づいて」を意味することを意図している。
【図１】
2011524655.tif 000003
【図２】
2011524655.tif 000004
【図３】
2011524655.tif 000005
【図４Ａ】
2011524655.tif 000006
【図４Ｂ】
2011524655.tif 000007
【図５Ａ】
2011524655.tif 000008
【図５Ｂ】
2011524655.tif 000009
【図６】
2011524655.tif 000010
【図７】
2011524655.tif 000011
【図８】
2011524655.tif 000012
【図９】
2011524655.tif 000013
【図１０】
2011524655.tif 000014
【図１１】
2011524655.tif 000015
【図１２】
2011524655.tif 000016
【手続補正書】
【提出日】平成23年3月29日(2011.3.29)
【手続補正１】
【補正対象書類名】特許請求の範囲
【補正対象項目名】全文
【補正方法】変更
【補正の内容】
【特許請求の範囲】
【請求項１】
無線ネットワーク内の多数のユーザ機器（ＵＥ）のロケーションポイントに関連付けられた地理上の位置が取得されるようになっている無線ネットワークに関連付けられた測位用ノードにて実行される方法であって、
前記複数のＵＥによって前記ロケーションポイントにおいて測定されるか、若しくは、前記複数のＵＥに関連付けられたｅＮｏｄｅＢによって測定される無線測定値と関連付けられた発展型ユニバーサル地上無線接続ネットワーク（Ｅ−ＵＴＲＡＮ）無線指紋データを受信するステップ（６１０）と、
クラスタ境界を形成するために前記Ｅ−ＵＴＲＡＮ無線指紋データ間の類似度に基づいて前記ロケーションポイントをクラスタするステップ（６２０、６３０）と、
前記Ｅ−ＵＴＲＡＮ無線指紋データを用いてＵＥの地理上の位置を将来決定するための、前記地理上の位置と、クラスタ境界と、前記Ｅ−ＵＴＲＡＮ無線指紋データとをデータベースに記憶するステップ（６３０）と、
を有することを特徴とする方法。
【請求項２】
前記無線ネットワーク内の第１のＵＥに関連付けられたＥ−ＵＴＲＡＮ無線指紋測定データを受信するステップ（７００）と、
前記Ｅ−ＵＴＲＡＮ無線指紋測定データに対応する地理上の位置の１つを取り出すために、前記データベースをルックアップテーブルするステップ（７１０）と、
前記第１のＵＥ、緊急コールセンタや警察のコールセンタ、地理情報システム（ＧＩＳ）サーバ（１５０）あるいは前記無線ネットワークの外部にあるノードのうちの少なくとも１つへ前記地理上の位置の１つを送信するステップと、
をさらに有することを特徴とする請求項１に記載の方法。
【請求項３】
前記データベースをルックアップするステップ（７１０）は、前記第１のＵＥに関連付けられた前記Ｅ−ＵＴＲＡＮ無線指紋測定データを、前記データベースに記憶されたＥ−ＵＴＲＡＮ無線指紋データとマッチさせて、前記地理上の位置のうちの１つを取り出すようにするステップをさらに有することを特徴とする請求項２に記載の方法。
【請求項４】
ユーザ機器（ＵＥ）（１１０）であって、
前記ＵＥ機器の地理上の位置に関連付けられた発展型ユニバーサル地上無線接続ネットワーク（Ｅ−ＵＴＲＡＮ）無線指紋測定データを取得するために無線測定値を測定するように構成されたトランシーバ（４０５）と、
ここで、前記Ｅ−ＵＴＲＡＮ無線指紋測定データは、
前記ＵＥにおいて測定された発展型ユニバーサル地上無線接続（Ｅ−ＵＴＲＡ）基準信号受信電力（ＲＳＲＰ）、
前記ＵＥにおいて測定されたＥ−ＵＴＲＡキャリア受信信号強度インジケータ（ＲＳＳＩ）、
前記ＵＥにおいて測定されたＥ−ＵＴＲＡ基準受信信号品質（ＲＳＲＱ）、
前記ＵＥにおいて測定された広帯域符号分割多元接続（ＷＣＤＭＡ）ＵＴＲＡ周波数分割二重化（ＦＤＤ）共通パイロットチャネル（ＣＰＩＣＨ）信号受信コード電力（ＲＳＣＰ）、
前記ＵＥにおいて測定されたＷＣＤＭＡ  ＵＴＲＡ  ＦＤＤキャリアＲＳＳＩ、
前記ＵＥにおいて測定された帯域内の電力密度により除算されたチップ毎の受信エネルギに対応するＷＣＤＭＡ  ＵＴＲＡ  ＦＤＤ  ＣＰＩＣＨ  Ｅｃ／Ｎｏ、
前記ＵＥにおいて測定された移動通信用グローバルシステム（ＧＳＭ）キャリアＲＳＳＩ、
前記ＵＥにおいて測定された時分割デュプレックス（ＴＤＤ）モードＵＴＲＡ  ＴＤＤキャリアＲＳＳＩ、
前記ＵＥにおいて測定されたＵＴＲＡ  ＴＤＤプライマリ共通制御用物理チャネル（Ｐ−ＣＣＰＣＨ）ＲＳＣＰ、
前記ＵＥにおいて測定されたＣＤＭＡ２０００  １×無線送信技術（１×ＲＴＴ）パイロット強度、
前記ＵＥにおいて測定されたＣＤＭＡ２０００高速パケットデータ（ＨＲＰＤ）パイロット強度、のうちの少なくとも１つを含む；
前記Ｅ−ＵＴＲＡＮ無線指紋測定データを地理上の位置決定用ノードへ送信させ、前記Ｅ−ＵＴＲＡＮ無線指紋測定データを送信するステップに応動して、現在の地理上の位置を前記地理上の位置決定用ノードから受信するように構成された処理部と、
を備えることを特徴とするユーザ機器（ＵＥ１１０）。
【請求項５】
無線ネットワークに関連付けられた測位用ノードであって、
データベース（１６０）と、
インタフェース（３２０）と、
ここで、インタフェース（３２０）は、
全地球測位システム（ＧＰＳ）装置を用いて取得された前記無線ネットワーク内の多数のユーザ機器（ＵＥ）のロケーションポイントに関連付けられた地理上の位置を受信し、
前記複数のＵＥの前記ロケーションポイントにおいて測定された無線測定値と関連付けられた、発展型ユニバーサル地上無線接続ネットワーク（Ｅ−ＵＴＲＡＮ）無線指紋データを受信する
処理部（３１０）と、
ここで、処理部（３１０）は、
クラスタ境界を形成するためにＥ−ＵＴＲＡＮ無線指紋データ間の類似度に基づいて前記ロケーションポイントをクラスタし、
ＧＰＳ装置を用いることなく、前記Ｅ−ＵＴＲＡＮ無線指紋データを用いてＵＥの地理上の位置を将来決定するための、前記地理上の位置と、クラスタ境界と、前記Ｅ−ＵＴＲＡＮ無線指紋データとを前記データベースに記憶するための処理部（３１０）と、
を備えることを特徴とする無線ネットワークに関連付けられた測位用ノード。
【請求項６】
前記インタフェース（３２０）は、前記無線ネットワーク内の第１のＵＥ（１１０）に関連付けられたＥ−ＵＴＲＡＮ無線指紋測定データを受信するようにさらに構成され、
前記処理部（３１０）は、更に、
前記受信されたＥ−ＵＴＲＡＮ無線指紋測定データを前記データベースに記憶された前記Ｅ−ＵＴＲＡＮ無線指紋データのうちの少なくとも１つとマッチさせることによって前記地理上の位置の１つを取り出すため、前記データベースのルックアップ動作を実行し、
前記第１のＵＥ（１１０）、緊急コールセンタや警察のコールセンタ、地理情報システム（ＧＩＳ）サーバ（１５０）あるいは前記無線ネットワークの外部にあるノードのうちの少なくとも１つへ前記地理上の位置の１つを送信する
ことを特徴とする請求項５に記載のノード。
【請求項７】
前記データベースのルックアップ動作を実行するとき、前記処理ユニットは、前記第１のＵＥ（１１０）に関連付けられた前記Ｅ−ＵＴＲＡＮ無線指紋測定データを、前記データベース（１６０）に記憶されたＥ−ＵＴＲＡＮ無線指紋データとマッチさせて、前記地理上の位置のうちの１つを取り出すことを特徴とする請求項６に記載のノード。
【国際調査報告】
2011524655.tif 000017
2011524655.tif 000018
2011524655.tif 000019
2011524655.tif 000020